(57)【要約】【課題】ユーザが広告対象の交通機関を利用した場合のメリットを容易に把握することを可能とする。【解決手段】実施形態による情報処理システム５は、経路探索に用いられる経路探索条件関連情報および／または経路探索により得られた移動経路情報からマッチング条件を取得するマッチング条件取得部７２１と、前記マッチング条件に基づいて、広告対象の移動手段を利用する移動経路である広告経路を構成するための広告経路構成情報を取得する広告経路構成情報取得部７２２と、前記広告経路構成情報に基づいて構成された広告経路に関する情報を提示する情報提示部６２２とを備える。【選択図】図８
2019117199.tif 000002
【特許請求の範囲】
【請求項１】
経路探索に用いられる経路探索条件関連情報および／または出発地から目的地までの移動経路を示す移動経路情報に基づいて、広告対象の移動手段を利用する移動経路である広告経路に関する情報を提示する情報提示手段を備えることを特徴とする情報処理システム。
【発明の詳細な説明】
【技術分野】
【０００１】
本発明は、情報処理システム、情報処理プログラム、情報処理装置、情報処理方法に関する。
【背景技術】
【０００２】
従来、パソコンやスマートフォン等の電子機器のユーザが設定した探索条件に基づいて経路探索を行い、その結果を電子機器に表示する経路探索システムが広く利用されている。この経路探索システムには、経路探索結果とともに、交通機関の広告（例えば駅や路線のバナー広告）をユーザに提示するものがある。
【０００３】
例えば、予め決められた地図上の経路に広告情報を設定する経路広告枠設定装置が知られている（特許文献１）。また、乗換案内時に端末装置に対して広告を提供する乗換案内システムが知られている（特許文献２）。
【先行技術文献】
【特許文献】
【０００４】
【特許文献１】特開２００９−１６９５００号公報
【特許文献２】特開２００８−２４３００２号公報
【発明の概要】
【発明が解決しようとする課題】
【０００５】
しかしながら、従来の広告では、ユーザは広告対象の交通機関を利用した場合のメリットを容易に把握することができず、また、広告主にとってもユーザに対し効果的な訴求ができなかった。
【０００６】
本発明は、ユーザが広告対象の交通機関を利用した場合のメリットを容易に把握することが可能な情報処理システム、情報処理プログラム、情報処理装置、情報処理方法を提供する。
【課題を解決するための手段】
【０００７】
本発明に係る情報処理システムは、
経路探索に用いられる経路探索条件関連情報および／または出発地から目的地までの移動経路を示す移動経路情報からマッチング条件を取得するマッチング条件取得手段と、
前記マッチング条件に基づいて、広告対象の移動手段を利用する移動経路である広告経路を構成するための広告経路構成情報を取得する広告経路構成情報取得手段と、
前記広告経路構成情報に基づいて構成された広告経路に関する情報を提示する情報提示手段と、
を備えることを特徴とする。
【発明の効果】
【０００８】
本発明によれば、ユーザが広告対象の交通機関を利用した場合のメリットを容易に把握することができる。
【図面の簡単な説明】
【０００９】
【図１】第１の実施形態に係る広告出稿システム１の概略的な構成を示す図である。
【図２】第１の実施形態に係る出稿情報データベースの一例を示す図である。
【図３】（ａ）は第１の実施形態の変形例に係る出稿情報データベースの一例であり、（ｂ）はエリア名称とエリア内駅を対応付けるデータベースの一例である。
【図４】第１の実施形態に係る広告出稿システム１の処理動作の一例を示すシーケンス図である。
【図５】第１の実施形態に係る出稿端末２の表示画面の一例を示す図である。
【図６】第２の実施形態に係る広告出稿システム１Ａの概略的な構成を示す図である。
【図７】第２の実施形態に係る出稿端末２の表示画面の一例である。
【図８】実施形態に係る情報処理システム５の概略的な構成を示す図である。
【図９】実施形態に係る情報処理システム５の処理動作の一例を示すシーケンス図である。
【図１０】広告経路を通常候補経路とは別枠で表示する場合における、端末装置６の表示画面の一例である。
【図１１】図１０の広告経路の詳細を示す端末装置６の表示画面の一例である。
【図１２】広告経路の強調表示する場合における端末装置６の表示画面の一例である。
【図１３】図１２の広告経路の詳細を示す端末装置６の表示画面の一例である。
【図１４】広告経路をプッシュ通知する場合における端末装置６の表示画面の一例である。
【図１５】（ａ）はクエリの一例であり、（ｂ）は経路探索条件データベースの一例である。
【発明を実施するための形態】
【００１０】
以下、本発明に係る実施形態について、図面を参照しながら具体的に説明する。
【００１１】
＜広告出稿システム＞
（広告出稿システムの第１の実施形態）
本発明の第１の実施形態に係る広告出稿システム１について説明する。本実施形態に係る広告出稿システム１は、モバイル端末（スマートフォン、携帯電話、タブレット端末等）やパソコン等の電子機器の使用者（以下、単に「ユーザ」ともいう。）に対して提示するための広告経路を出稿するシステムである。
【００１２】
ここで、広告経路とは、広告対象の移動手段（以下、単に「広告移動手段」ともいう。）を利用する移動経路のことである。移動手段は、例えば、所定の鉄道会社の路線や特急列車、あるいは駅と空港を結ぶリムジンバス等である。
【００１３】
なお、広告経路において、広告移動手段は全移動区間にわたって利用される場合に限らず、一部の移動区間に利用されるものも含む。例えば、Ａ駅、Ｂ駅およびＣ駅をそれぞれ、出発駅、乗換駅および到着駅とする場合、Ａ駅からＢ駅まで広告移動手段で移動し、Ｂ駅からＣ駅までは広告移動手段以外の移動手段で移動する場合も広告経路に含まれる。
【００１４】
広告出稿システム１は、図１に示すように、出稿端末２と、サーバ３とを備えている。
出稿端末２とサーバ３とは、インターネット等のネットワークを介して互いに通信可能に接続されている。ネットワークは、有線回線および無線回線のいずれでもよく、回線の種類や形態は問わない。なお、出稿端末２、サーバ３の少なくとも一部は、コンピュータにより実現される。
【００１５】
出稿端末２は、広告経路を出稿するために出稿者（広告出稿情報入力者）が使用するものであり、例えば、デスクトップ型のパソコンである。なお、出稿端末２は、スマートフォンやタブレット端末等のモバイル端末であってもよい。
【００１６】
出稿端末２は、図１に示すように、通信部２１と、制御部２２と、入力部２３と、出力部２４とを有する。まず、出稿端末２の構成要素のうち、制御部２２以外の構成要素、即ち、通信部２１、入力部２３および出力部２４について説明する。
【００１７】
通信部２１は、ネットワークを介して制御部２２とサーバ３との間で情報を送受信するためのインターフェースである。
【００１８】
入力部２３は、出稿者が出稿端末２に情報を入力するためのインターフェースであり、例えばキーボードであるが、その他、タッチパネル、マイクロフォン（モバイル端末の内蔵マイク等）であってもよい。
【００１９】
出力部２４は、出稿端末２から出稿者に対して各種情報を出力するインターフェースであり、例えば、液晶ディスプレイ等の映像表示手段である。なお、入力部２３がタッチパネルの場合には、入力部２３が出力部２４を兼ねてもよい。
【００２０】
次に、出稿端末２の制御部２２について説明する。制御部２２は、図１に示すように、出稿情報受付部２２１を有する。この出稿情報受付部２２１は、出稿端末２内のプロセッサが所定のプログラムを実行することにより実現されてもよい。
【００２１】
出稿情報受付部２２１は、広告経路出力条件情報と、広告経路構成情報とを入力部２３を介して出稿者から受付ける。
【００２２】
ここで、広告経路出力条件情報は、広告経路を出力するための条件（広告経路の出力条件）を示す。モバイル端末等のユーザが経路探索を行う際に入力した探索条件（より正確には、探索条件から抽出されたマッチング条件（後述））が広告経路出力条件情報に合致する場合に、その広告経路出力条件情報に対応付けられた広告経路が出力されることになる。これについては、後ほど情報処理システム５の説明において詳しく述べる。
【００２３】
広告経路出力条件情報は、例えば、出発地および目的地を示す情報である。その他、広告経路出力条件情報は、経由地（乗換駅）、使用路線、出発エリア（新宿エリア等）、目的エリア（東京・日本橋エリア等）、出発時刻、到着時刻を含んでもよい。
【００２４】
また、広告経路出力条件情報は、移動距離（例えば、出発地から目的地までの距離が５０ｋｍ以上）を含んでもよい。これにより、所定の距離以上の移動経路が探索された場合にのみ広告経路を出稿することができるので、単価の高い長距離ユーザに訴求することができる。
【００２５】
また、広告経路出力条件情報は、時間帯（出発時間帯、到着時間帯）を含んでもよい。
これにより、広告経路が通常の経路探索結果として出力されにくい時間帯に絞って広告を出すことができる。逆に、広告経路が通常の経路探索結果として出力されやすい時間帯に絞って広告を出すことで、より選択されやすくすることができる。
【００２６】
また、広告経路出力条件情報は、上記のように移動経路を構成する情報以外にも、モバイル端末等のユーザの属性情報を含んでもよい。ユーザ属性情報としては、例えば性別、年齢、住所、嗜好（乗換回数の少ない経路を好む、電車よりもバスを好む等）、定期券区間などが挙げられる。これにより、ターゲットとするユーザに対して効果的な広告を出すことができる。
【００２７】
その他、広告経路出力条件情報は、ナビゲーションアプリ等のアプリの利用状況、設定条件、経路探索／ワード検索の履歴等、ユーザの現在位置などを含んでもよい。例えば、広告移動手段がバスの場合、ナビアプリにバス指定を設定していることを出力条件としてもよい。また、経路探索履歴からバスを利用する経路を表示もしくは選択したことがあることを出力条件としてもよい。このようにすることで、利用可能性の高いユーザに絞って広告を出すことができる。逆に、バス指定をしていないことや、バスを利用する経路を表示もしくは選択したことがないことを出力条件としてもよい。これにより、新規利用者を獲得するために効果的な広告を出すことができる。
【００２８】
広告経路出力条件情報は、上記情報のうち少なくともいずれか一つを含む。
【００２９】
広告経路構成情報は、広告経路を構成するための情報である。この広告経路構成情報は、広告経路のノード、または経路探索部分条件を含む。
【００３０】
広告経路のノードとは、広告経路を構成するノード（結節点）のことであり、例えば、広告経路の出発地、目的地、経由地（乗換駅）、広告移動手段の乗車地や降車地（駅、停留所等）である。
【００３１】
経路探索部分条件とは、経路探索に必要な探索条件の一部である。この経路探索部分条件と、モバイル端末等のユーザが入力した探索条件（の少なくとも一部）とが合わさることで、時刻情報等を含む広告経路の経路探索が可能となる。この場合、経路探索部分条件とユーザが入力した探索条件とに基づく経路探索により広告経路が構成される。
【００３２】
なお、広告経路構成情報には、出発時刻／到着時刻等の時刻情報は含まれない。
【００３３】
次に、サーバ３について説明する。図１に示すように、サーバ３は、通信部３１と、制御部３２と、記憶部３３とを有する。制御部３２について説明する前に、通信部３１および記憶部３３について説明する。
【００３４】
通信部３１は、ネットワークを介して出稿端末２と、サーバ３の制御部３２との間で情報を送受信するインターフェースである。
【００３５】
記憶部３３は、例えばハードディスク等の固定型データストレージであり、後述の出稿情報データベース３３１を有する。なお、記憶部３３は、必ずしもサーバ３内に設けられなくてもよく、ネットワークを介して通信可能に接続された別の装置内に設けられてもよい。
【００３６】
次に、サーバ３の制御部３２について説明する。制御部３２は、図１に示すように、データベース作成部３２１を有する。このデータベース作成部３２１は、サーバ３内のプロセッサが所定のプログラムを実行することにより実現されてもよい。
【００３７】
データベース作成部３２１は、出稿情報データベース３３１を記憶部３３に作成する。
この出稿情報データベース３３１は、前述の広告経路出力条件情報と広告経路構成情報とを関連付けて記憶する。
【００３８】
出稿情報データベース３３１について図２を参照してより詳しく説明する。図２は、出稿情報データベース３３１の一例を示している。図２に示すように、出稿情報データベース３３１は、出稿者情報と、広告経路出力条件情報および広告経路構成情報を含む出稿情報とを有する。
【００３９】
出稿者情報は、広告主、広告移動手段およびグループを含んでいる。図２の例では、広告主には、Ｘ交通、Ｙ電鉄、Ｚ電鉄がおり、Ｘ交通の広告移動手段はリムジンバスＡであり、Ｙ電鉄の広告移動手段はライナーＢと特急Ｃであり、Ｚ電鉄の広告移動手段はエクスプレスＤである。
【００４０】
なお、グループは、広告経路出力条件のうちの所定の条件であり、同一広告主の出稿情報をグループ化するために用いられる。図２の例では、出稿情報は、目的地（成田空港、羽田空港等）によりグループ化されている。
【００４１】
出稿情報は、図２に示すように、広告経路出力条件情報、広告経路構成情報および広告単価を含んでいる。図２の例では、広告経路出力条件情報は、出発地、目的地、経由地（乗換駅）および使用路線を含む。なお、各出稿情報にはユニークな広告ＩＤが割り当てられる。
【００４２】
図２において、広告経路出力条件情報内の“＊”は任意であることを示している。例えば、広告ＩＤがＣ−１−０１の場合、目的地が成田空港であることが広告経路の出力条件であり、その他の探索条件は問わない。即ち、ユーザ入力の目的地が成田空港の場合に広告経路を出力することを示している。同様に、広告ＩＤがＣ−１−０２〜０４の場合、出発地と目的地の両方がユーザ入力の探索条件と一致する場合に広告経路を出力することを示している。広告ＩＤがＣ−１−１１の場合、目的地と経由地がユーザ入力の探索条件と一致する場合に広告経路を出力することを示している。
【００４３】
図２において、広告経路構成情報内の［出発地］および［目的地］は、モバイル端末等のユーザが入力した探索条件の出発地および目的地がそれぞれ入ることを示している。例えば広告ＩＤがＣ−１−０１の場合、ユーザ入力による出発地を出発し、当該出発地から最寄りのリムジンバスＡ（広告移動手段）の停留所まで移動し、当該停留所でリムジンバスＡに乗車して成田空港まで行く移動経路を示している。なお、出発地から停留所までの具体的な経路は経路探索により求められる。
【００４４】
広告ＩＤがＣ−１−０１の場合、広告経路構成情報は経路探索部分条件であり、広告経路を構成するためにユーザ入力による探索条件を必要とする。一方、広告ＩＤ：Ｃ−１−０２〜０４については、広告経路構成情報は、広告経路のノードであり、ユーザ入力による探索条件を必要としない。
【００４５】
なお、後ほど詳しく説明するように、広告経路構成情報が広告経路のノードであって時刻情報等が不要な場合には、広告経路構成情報をそのまま（経路探索を行わず）広告経路としてユーザに提示してもよい。
【００４６】
広告ＩＤがＣ−１−２１，Ｃ−１−２２の場合、Ｘ交通は広告経路出力条件の一つとして使用路線を設定している。より詳しくは、Ｘ交通のリムジンバスＡと競合するＹ電鉄のライナーＢ，特急Ｃをそれぞれ使用路線に設定している。これにより、ユーザが他社の移動手段を利用する条件で経路探索を要求した場合、あるいは、経路探索結果に他社の移動手段を利用する経路が含まれる場合に、自社の広告移動手段を利用する広告経路をユーザに提示することが可能になり、効果的な広告を出すことができる。
【００４７】
出稿情報の広告単価は、出稿者が設定可能である。なお、広告単価は、広告経路の表示回数当たりの単価（表示単価）でもよいし、あるいは広告経路の選択回数当たりの単価（クリック単価）でもよいし、あるいは実際にユーザが移動した回数や移動によって発生した運賃に応じて決められた単価（移動実績単価）でもよい。ここで、移動実績単価を設定する場合、移動による広告主の売り上げのうち所定の割合を設定するようにしてもよい。
出稿者が広告単価を設定すると、データベース作成部３２１は、図２に示すように、広告経路構成情報と関連付けて広告単価を出稿情報データベース３３１に記憶させる。
【００４８】
なお、広告経路出力条件情報は、複数の駅等の地点から構成されるエリア（出発地エリア、目的地エリア）を含むようにしてもよい。図３（ａ）は、広告経路出力条件情報が出発地および目的地に代えて、出発地エリアおよび目的地エリアを含む場合の出稿情報データベースの一例を示している。この場合、図３（ｂ）に示すように、エリア名称とエリア内駅（エリア内に含まれる駅）とを対応付けたデータベース（図示せず）を別途用意する。そして、当該データベースを参照し、ユーザ入力の探索条件がエリア内駅のいずれかの駅に一致する場合に、そのエリアの条件を満たすと判定する。これにより出稿者はエリア単位で一括して出稿することができ、出稿の手間を低減することができる。なお、エリアは、駅や停留所等の地点から構成される場合に限らず、市町村などの行政エリアから構成されてもよい（例えば出発エリアが○○市など）。
【００４９】
また、広告経路出力条件情報は、移動手段の便名（例えば特急列車の○○号）を指定する便指定を含むようにしてもよい。これにより、ある路線の特急列車の特定の便を指定したユーザに対して広告経路を提示することができる。
【００５０】
次に、図４を参照して、上記の構成を有する広告出稿システム１の処理動作の一例について説明する。
【００５１】
まず、出稿端末２の出稿情報受付部２２１が、広告経路出力条件情報および広告経路構成情報を受け付ける（ステップＳ１１）。より詳しくは、出稿端末２の画面に表示されたユーザインタフェースを介して出稿者が広告経路出力条件情報および広告経路構成情報を入力することで、出稿情報受付部２２１は広告経路出力条件情報および広告経路構成情報を受け付ける。
【００５２】
図５は、出稿端末２の出稿情報入力画面の一例を示している。図５に示すように、出稿者は希望に応じて複数の出稿情報１，２，３，・・・を設定することが可能である。図５の例では、２つの出稿情報１，２が設定されている。出稿情報１は広告経路構成情報として、広告経路のノードを設定する例であり、出稿情報２は広告経路構成情報として、経路探索部分条件を設定する例である。なお、図５に示すスライダーバーＳは、表示領域を左右に移動させ、設定／表示する出稿情報を切り替えるために使用される。
【００５３】
出稿情報１には、広告経路出力条件として出発地：東京駅、目的地：成田空港が設定され、広告経路構成情報として広告移動手段（リムジンバスＡ）による東京駅から成田空港までの経路が設定されている。出稿情報２には、広告経路出力条件として目的地：成田空港のみが設定され、広告経路構成情報として、ユーザ入力の出発地から最寄りのリムジンバスＡの停留所まで移動し、その停留所からリムジンバスＡに乗って成田空港まで行く経路が設定されている。また、広告単価として出稿情報１および出稿情報２のいずれも“１０”が設定されている。
【００５４】
出稿情報については複数の広告主間で衝突することも考えられる。同一の条件となる広告経路出力条件の設定については、一人の広告主にのみ認めるようにしてもよいし、あるいは複数の広告主に認めてもよい。後者の場合、例えば、設定された広告単価が最も高い広告経路をモバイル端末等のユーザに提示するようにしてもよい。
【００５５】
なお、出稿者は、出発地や目的地以外にも、広告経路出力条件として、経由地（鉄道の場合は乗換駅）、使用路線、時刻、時間帯、ユーザ属性情報等の条件を設定することが可能である。出力条件追加ボタンＢを押下（クリック）すると、他の出力条件を設定するためのフィールドが画面に表示される。
【００５６】
出稿情報受付部２２１が広告経路出力条件情報および広告経路構成情報を受け付けた後、出稿端末２の通信部２１が広告経路出力条件情報および広告経路構成情報をサーバ３に送信し（ステップＳ１２）、サーバ３の通信部３１が当該情報を受信する（ステップＳ２１）。
【００５７】
次に、サーバ３のデータベース作成部３２１が、出稿端末２から受信した情報に基づいて出稿情報データベース３３１を作成する（ステップＳ２２）。
【００５８】
以上説明したように、広告出稿システム１では、出稿端末を介して広告経路出力条件情報と広告経路構成情報を出稿者から受け付け、受け付けた広告経路出力条件と広告経路構成情報を関連付けて記憶し、モバイル端末やパソコン等のユーザに広告経路を提示するために利用可能な出稿情報データベースを作成する。これにより、第１の実施形態に係る広告出稿システムによれば、出稿者は広告対象の移動手段を利用した移動経路（広告経路）を適切に出稿することができる。
【００５９】
（広告出稿システムの第２の実施形態）
次に、本発明の第２の実施形態に係る広告出稿システム１Ａについて説明する。第２の実施形態と第１の実施形態との間の相違点の一つは、出稿者により設定された広告経路に対して、移動経路としての品質（経路品質）を評価し、出稿者に提示することである。以下、第１の実施形態との相違点を中心に第２の実施形態について説明する。
【００６０】
広告出稿システム１Ａは、図６に示すように、出稿端末２と、サーバ３とを備えている。出稿端末２とサーバ３とは、ネットワークを介して互いに通信可能に接続されている。
【００６１】
出稿端末２の制御部２２Ａは、前述の出稿情報受付部２２１に加えて、品質評価結果提示部２２２を有している。この品質評価結果提示部２２２は出稿端末２内のプロセッサが所定のプログラムを実行することにより実現されてもよい。
【００６２】
品質評価結果提示部２２２は、サーバ３の経路品質評価部３２２（後述）による広告経路の品質評価結果を、出力部２４を介して出稿者に提示する。
【００６３】
サーバ３の制御部３２Ａは、前述のデータベース作成部３２１に加えて、経路品質評価部３２２を有している。この経路品質評価部３２２はサーバ３内のプロセッサが所定のプログラムを実行することにより実現されてもよい。
【００６４】
経路品質評価部３２２は、広告経路構成情報に基づく広告経路の経路品質を評価し、通信部３１を介して品質評価結果を出稿端末２に送信する。より詳しくは、まず、経路探索部（図示せず）が広告経路構成情報に基づいて経路探索を行い、所要時間等の情報を含んだ広告経路を構成する。そして、経路品質評価部３２２は、経路探索により得られた広告経路の経路品質を評価する。
【００６５】
広告経路の経路品質は、所要時間、料金および乗換回数のうち少なくともいずれか一つに基づいて評価される。例えば、所要時間が短い経路、料金が安い経路、乗換回数が少ない経路が高く評価される。その他、移動距離や、乗車までの待ち時間を考慮して広告経路の品質を評価してもよい。
【００６６】
また、広告経路の品質評価は、絶対評価でもよいし、ユーザ入力の探索条件により探索された候補経路（以下、「通常候補経路」ともいう。）、または広告経路構成情報に含まれる広告経路のノードを探索条件として経路探索を行って得られた移動経路との比較による相対評価でもよい。相対評価の場合、例えば、広告経路の出発時刻（または到着時刻）と通常候補経路の出発時刻（または到着時刻）との間の乖離の程度により経路品質を評価する。より詳しくは、通常候補経路との乖離の程度が大きいほど広告経路の品質が低いと評価する。
【００６７】
なお、経路品質を評価するにあたって経路探索は必須ではない。例えば、広告経路構成情報に、料金、平均所要時間、乗換回数などの付加情報を含めておき、付加情報に基づいて広告経路の品質を評価してもよい。付加情報の取得については、広告経路に対応付けて料金や平均所要時間等を格納したデータベース（図示せず）を用意しておき、経路品質評価部３２２は当該データベースにアクセスして付加情報を取得してもよい。
【００６８】
第２の実施形態に係る出稿端末２の表示画面について説明する。図７は、第２の実施形態に係る出稿端末２の表示画面の一例を示している。図７に示すように、各出稿情報１，２の下には広告経路の品質評価結果が表示されている。図７の例では、通常候補経路との比較による相対評価を行った結果を示している。広告経路構成情報が広告経路のノードを示す場合（出稿情報１の場合）、経路品質評価部３２２は、広告経路と、出発地および目的地が同じ通常候補経路とを比較し、評価結果を出力する。
【００６９】
一方、広告経路構成情報が経路探索部分条件を示す場合（出稿情報２の場合）、不定の探索条件を仮設定した仮広告経路を設定する。図７の例では、出発地が不定であるため、新宿駅を仮設定している。仮設定は出稿者が行ってもよいし、あるいはシステム側で行ってもよい。経路品質評価部３２２は、仮広告経路と、出発地および目的地が同じ通常候補経路とを比較し、評価結果を出力する。
【００７０】
以上説明したように、第２の実施形態に係る広告出稿システムによれば、第１の実施形態と同様の効果が得られるとともに、広告経路の品質評価を行って出稿者に提示することにより、出稿者は広告経路がどの程度ユーザに対して訴求力があるのかを客観的に把握することができる。その結果、出稿者は、出稿するか否かの判断や、広告単価の設定を容易に行うことができる。
【００７１】
次に、上記の広告出稿システムで得られた出稿情報データベースを用いてユーザに広告経路を提示する情報処理システムについて説明する。
【００７２】
＜情報処理システム＞
情報処理システム５は、図８に示すように、端末装置６と、サーバ７とを備えている。
端末装置６とサーバ７とは、インターネット等のネットワークを介して互いに通信可能に接続されている。ネットワークは、有線回線および無線回線のいずれでもよく、回線の種類や形態は問わない。なお、端末装置６、サーバ７の少なくとも一部は、コンピュータにより実現される。
【００７３】
サーバ７は広告出稿システム１，１Ａのサーバ３とネットワークを介して通信可能に接続されていてもよい。あるいは、サーバ７はサーバ３と一体のサーバとして構成されてもよい。
【００７４】
端末装置６は、モバイル端末（スマートフォン、携帯電話、タブレット端末等）やパソコン等の電子機器である。端末装置６は、図８に示すように、通信部６１と、制御部６２と、入力部６３と、出力部６４とを有する。
【００７５】
まず、端末装置６の構成要素のうち、制御部６２以外の構成要素、即ち、通信部６１、入力部６３、出力部６４について説明する。
【００７６】
通信部６１は、ネットワークを介して制御部６２とサーバ７との間で情報を送受信するためのインターフェースである。入力部６３は、ユーザが端末装置６に情報を入力するためのインターフェースであり、例えば、タッチパネル、キーボード、マイクロフォン（モバイル端末の内蔵マイク等）である。
【００７７】
出力部６４は、端末装置６からユーザへ各種情報を出力するインターフェースであり、例えば、液晶ディスプレイ等の映像表示手段、または、スピーカやイヤホン等の音声出力手段である。なお、入力部６３がタッチパネルの場合には、入力部６３が出力部６４を兼ねてもよい。
【００７８】
具体的には、出力部６４は、ユーザからの操作を受け付けるためのＧＵＩ（Graphical User Interface）や、出発地から目的地までの移動経路を示す移動経路情報、広告経路などを表示する。出力部６４がスピーカの場合、移動経路情報などは音声で出力される。
【００７９】
なお、出力部６４は、ユーザに情報を直接提示するものでなくてもよい。例えば、出力部６４は、端末装置６の外部に接続される映像表示手段や音声出力手段に、映像信号や音声信号を出力するものであってもよいし、外部に接続される印刷装置にデータを出力するものであってもよいし、端末装置６内もしくは外部の記憶装置にデータを出力して記憶させるものであってもよい。
【００８０】
次に、端末装置６の制御部６２について説明する。制御部６２は、図８に示すように、探索条件取得部６２１と、情報提示部６２２とを有する。これら各部は、端末装置６内のプロセッサが所定のプログラムを実行することにより実現されてもよい。
【００８１】
探索条件取得部６２１は、経路探索用の探索条件を取得する。探索条件は、出発地および目的地のうち少なくともいずれか一方を含む。出発地や目的地は、鉄道の駅に限られず、任意の地点、例えば、バスの停留所、空港、港、自宅、会社、あるいは、ＧＰＳやＷｉｆｉ測位等の測位手段によって検出された現在位置などであってもよい。
【００８２】
また、探索条件は、出発地や目的地の他、経由地（鉄道の場合は乗換駅）、使用路線、出発時刻、到着時刻等を含んでもよい。
【００８３】
探索条件取得部６２１は、入力部６３を介して探索条件を取得する他、入力部６３を介さずに探索条件の少なくとも一部を取得してもよい。例えば、出発地として、端末装置６が有する測位手段（図示せず）から現在位置を取得してもよいし、出発時刻として、端末装置６が有する時計手段（図示せず）もしくは外部のサーバから現在時刻を取得してもよいし、目的地や到着時刻等の情報をスケジューラアプリから取得してもよい。
【００８４】
情報提示部６２２は、移動経路等に関する各種情報を、出力部６４を介してユーザに提示する。また、情報提示部６２２は、前述の広告経路構成情報に基づいて構成された広告経路に関する情報を、出力部６４を介してユーザに提示する。
【００８５】
なお、出力部６４が映像表示手段である場合、情報提示部６２２は、提示すべき情報を映像信号に変換して出力部６４に出力し、出力部６４が音声出力手段である場合には、情報提示部６２２は、提示すべき情報を音声信号に変換して出力部６４に出力する。
【００８６】
情報提示部６２２は、広告経路構成情報をそのまま広告経路として提示してもよいし、あるいは、経路探索に用いられる経路探索条件関連情報（後述）および広告経路構成情報に基づいて実行された経路探索の結果を広告経路として提示してもよい。
【００８７】
次に、サーバ７について説明する。図８に示すように、サーバ７は、通信部７１と、制御部７２と、記憶部７３とを有する。制御部７２について説明する前に、通信部７１および記憶部７３について説明する。
【００８８】
通信部７１は、ネットワークを介して端末装置６と、サーバ７の制御部７２との間で情報を送受信するインターフェースである。
【００８９】
記憶部７３は、例えばハードディスク等の固定型データストレージであり、後述の各種データベースを格納する。なお、記憶部７３は、必ずしもサーバ７内に設けられなくてもよく、ネットワークを介して通信可能に接続された別の装置内に設けられてもよい。
【００９０】
記憶部７３は、出稿情報データベース７３１と、経路ネットワークデータベース７３２とを有する。なお、出稿情報データベース７３１および経路ネットワークデータベース７３２は、同じ記憶装置に格納される場合に限られず、異なる記憶装置に別々に格納されてもよい。
【００９１】
出稿情報データベース７３１は、前述の出稿情報データベース作成部３２１により作成されたデータベースであり、出稿情報データベース３３１と同じ内容のものである。
【００９２】
経路ネットワークデータベース７３２は、経路探索用のデータベースであり、経路ネットワーク情報として、例えば地図情報、および交通ネットワーク情報を含む。地図情報は、全国または各地方の道路地図などの地図データを含み、地図データに対応付けられた地図オブジェクト情報（施設情報、注記情報、記号情報等）を含んでもよい。交通ネットワーク情報は、鉄道やバス等の交通網や道路網を規定する情報である。交通網の情報としては、交通機関の路線情報、時刻表情報、料金情報等を含む。道路網の情報は、例えば交差点等の道路網表現上の結節点（ノード）のデータと、結節点間の道路区間であるリンクのデータとの組み合わせによって表現される。
【００９３】
次に、サーバ７の制御部７２について説明する。制御部７２は、図８に示すように、マッチング条件取得部７２１と、広告経路構成情報取得部７２２と、経路探索部７２３とを有する。これら各部は、サーバ７内のプロセッサが所定のプログラムを実行することにより実現されてもよい。
【００９４】
マッチング条件取得部７２１は、経路探索に用いられる経路探索条件関連情報および／または出発地から目的地までの移動経路を示す移動経路情報から、広告経路出力条件との比較に用いるマッチング条件を取得する。
【００９５】
ここで、経路探索条件関連情報は、ユーザにより設定された経路探索条件のみならず、ユーザにより予め登録された登録情報、スケジューラアプリからの情報等をも包含する概念である。登録情報は、例えば、通勤（通学）経路等の所定の移動経路や、地点、駅、路線などである。また、登録情報は、前述のユーザ属性情報を含んでもよい。
【００９６】
移動経路情報は、例えば、経路探索により得られた移動経路を示す情報である。移動経路は、直近の経路探索により得られた移動経路であってもよいし、あるいは、過去の経路探索により得られた移動経路である履歴ルートであってもよい。また、移動経路情報は、ユーザがナビアプリ等のアプリに設定登録した移動経路を示す情報であってもよい。
【００９７】
広告経路構成情報取得部７２２は、マッチング条件に基づいて前述の広告経路構成情報を取得する。より詳しくは、広告経路構成情報取得部７２２は、まず、マッチング条件取得部７２１により取得されたマッチング条件をキーにして出稿情報データベース７３１を検索し、当該マッチング条件を満たす広告経路出力条件情報を見つけ出す。そして、広告経路構成情報取得部７２２は、見つけ出した広告経路出力条件情報と関連付けられた広告経路構成情報を取得する。
【００９８】
経路探索部７２３は、経路ネットワークデータベース７３２を参照して経路探索を実行することにより、探索条件を満たす１つまたは複数の移動経路を示す移動経路情報を求める。この移動経路情報は、例えば出発地から目的地までの移動手段や移動距離、所要時間、料金、乗換回数、出発時刻および到着時刻等の情報を含む。
【００９９】
経路探索部７２３は、通信部７１を介して端末装置６から受信した探索条件に基づいて経路探索を実行する。
【０１００】
また、経路探索部７２３は、広告経路構成情報に基づいて経路探索を行い、出発時刻および到着時刻等の情報を含む広告経路を構成する。広告経路構成情報が広告経路のノードを示す場合、経路探索部７２３は、広告経路構成情報と、ユーザ入力の探索条件（出発時刻等）とを用いて経路探索を行う。一方、広告経路構成情報が経路探索部分条件を示す場合、経路探索部７２３は、広告経路構成情報とユーザ入力の探索条件（不定の探索条件、出発時刻等）とを用いて経路探索を行う。
【０１０１】
なお、サーバ７の制御部７２は、情報提示手段（図示せず）を含んでもよい。この情報提示手段は、広告経路構成情報に基づいて構成された広告経路に関する情報や、通常候補経路等の経路探索結果などを外部に出力する。
【０１０２】
次に、図９を参照して、上記の構成を有する情報処理システム５の処理動作の一例について説明する。
【０１０３】
まず、端末装置６の探索条件取得部６２１が、経路探索用の探索条件を取得する（ステップＳ６１）。そして、端末装置６の通信部６１が当該探索条件をサーバ７に送信し（ステップＳ６２）、サーバ７の通信部７１が当該探索条件を受信する（ステップＳ７１）。
【０１０４】
次に、サーバ７の経路探索部７２３が、端末装置６から受信した探索条件に基づいて経路探索を実行し、探索結果（移動経路情報）を出力する（ステップＳ７２）。
【０１０５】
次に、サーバ７のマッチング条件取得部７２１がステップＳ７２で出力された移動経路情報からマッチング条件を取得する（ステップＳ７３）。即ち、マッチング条件取得部７２１は、移動経路情報を解析してマッチング条件を抽出する。なお、本ステップにおいてマッチング条件取得部７２１は端末装置６から受信した探索条件からマッチング条件を取得してもよい。
【０１０６】
ステップＳ７３において、マッチング条件取得部７２１は、例えば、使用路線：ライナーＢ、目的地：成田空港をマッチング条件として抽出する。
【０１０７】
次に、サーバ７の広告経路構成情報取得部７２２は、マッチング条件に基づいて前述の広告経路構成情報を取得する（ステップＳ７４）。本ステップにより、例えば、［出発地］→最寄りリムジンバス停留所→（リムジンバスＡ移動）→成田空港という広告経路構成情報が取得される。
【０１０８】
なお、ステップＳ７３においてマッチング条件を満たす出稿情報が複数存在した場合、本ステップＳ７４において複数の広告経路構成情報が取得される。例えば、マッチング条件として出発地：東京駅、目的地：成田空港、経由地（乗換駅）：上野駅が取得された場合、図２の出稿情報データベースによれば、広告ＩＤがＣ−１−０１，Ｃ−１−０２およびＣ−３−１３（目的地：成田空港、経由地（乗換駅）：上野駅）」等の複数の広告経路出力条件がマッチング条件を満たす。このような場合は、広告経路構成情報取得部７２２は、それら全ての広告経路構成情報を出力してもよいし、あるいは、予め決められた順序（例えば広告単価の高い順、経路品質評価結果の高い順）に基づいて選択された一つまたは複数の広告経路構成情報を出力するようにしてもよい。また、広告経路構成情報取得部７２２は全ての広告経路構成情報を出力しておき、端末装置６の情報提示部６２２がサーバ７から受信した広告経路構成情報を取捨選択してユーザに提示するようにしてもよい。
【０１０９】
次に、サーバ７の経路探索部７２３は、広告経路構成情報取得部７２２により取得された広告経路構成情報および端末装置６から受信した探索条件に基づいて経路探索を行い、広告経路を構成する（ステップＳ７５）。この広告経路は、出発時刻および到着時刻等の情報を含む。なお、広告経路構成情報を端末装置６のユーザにそのまま提示する場合には、本ステップは不要である。
【０１１０】
ここで、広告経路の構成方法について２つのケースを説明する。
【０１１１】
第１のケースは、広告主が広告出稿時に予め出稿情報データベースに登録しておいた広告経経路構成情報をそのまま広告経路とする場合である。具体的には、出発地：東京駅、目的地：成田空港、使用路線：リムジンバスＡ、所要時間：平均的な所要時間、料金：○○円といった移動経路情報を予め出稿情報データベースに登録しておく。この場合、サーバ７は登録された情報を出稿情報データベース７３１から読み出し、端末装置６で表示可能なようにデータを加工するだけである。
【０１１２】
第２のケースは、広告経路構成情報取得部７２２により広告経路構成情報が取得されるたびにサーバ７が経路探索を行って広告経路を構成する場合である。第１のケースと比べてサーバ７側で探索処理が実行されるため、処理負荷が増大し、ユーザへの応答時間が長くなることがある。しかし、第２のケースの場合は、時刻（出発時刻、到着時刻等）や、渋滞情報などのリアルタイム情報を考慮することが可能であるため、より正確な広告経路をユーザに提示することができる。
【０１１３】
次に、サーバ７の通信部７１が広告経路とステップＳ７２で得られた経路探索結果（即ち、通常候補経路）を端末装置６に送信し（ステップＳ７６）、端末装置６の通信部６１が広告経路と通常候補経路を受信する（ステップＳ６３）。
【０１１４】
次に、端末装置６の情報提示部６２２が出力部６４を介して広告経路と通常候補経路をユーザに提示する（ステップＳ６４）。
【０１１５】
ステップＳ６４において、情報提示部６２２は、例えば、通常候補経路とは別枠で広告経路を提示する。図１０は、この場合における端末装置６の表示画面の一例である。この表示画面は、出発地が地点Ｍ、目的地が成田空港、出発時刻が２０１４年７月１日６時０分の探索条件で経路探索を要求した場合の結果を示している。図１０に示すように、通常候補経路として４つの候補経路１〜４が表示され、その下に通常候補経路とは別枠で広告経路が表示されている。この広告経路は、広告移動手段（リムジンバスＡ）を利用した場合の到着時刻、乗換回数および料金を示しており、ユーザは、通常候補経路と広告経路を容易に比較することができる。なお、広告経路を通常候補経路の上側に表示してもよい。
図１１は、ユーザが図１０の広告経路を選択（クリック等）した場合における広告経路の詳細を示している。
【０１１６】
なお、広告経路が通常候補経路と一致する場合、情報提示部６２２は、ユーザが広告経路を認識し易くするために、広告経路を強調して提示してもよい。図１２は、この場合における端末装置６の表示画面の一例である。この表示画面は、出発地がＫ駅、目的地がＨ駅、出発時刻が２０１４年７月２日１０時２３分の探索条件で経路探索を要求した場合の結果を示している。図１３は、ユーザが図１２の広告経路を選択（クリック等）した場合における広告経路の詳細を示している。
【０１１７】
図１２に示すように、通常候補経路１〜４のうち通常候補経路３が広告経路と一致しており、通常候補経路３を太線で囲って強調表示することで、広告経路であることを示している。また、広告移動手段の名称（この例ではライナーＢ）も表示して強調してもよい。広告移動手段が予約可能であれば、図１２に示すように、予約サイトに接続するためのボタンＴを表示してもよい。このボタンＴには、「ネット予約できます」のようなメッセージを表示してもよい。
【０１１８】
その他、表示色、文字の太さを変更することにより、広告経路を強調表示してもよい。また、広告経路の表示順位を変更してもよい。例えば、図１２の例では広告経路は上から３番目に表示されているが、表示順位を変更して一番上に広告経路を表示するようにしてもよい。
【０１１９】
なお、上記の例では、通常候補経路とともに広告経路をユーザに提示したが、これに限らず、広告経路を単独でユーザに提示してもよい。例えば、図１４に示すように、スマートフォン８等の端末装置にプッシュ通知で広告経路を通知してもよい。この例では、スケジューラアプリから取得される経路探索条件関連情報に基づいて広告経路を構成し、プッシュ通知を行っている。この場合、スケジューラアプリに登録された目的地（スケジュールを実行する場所）および到着時刻（スケジュールの開始時刻）と、端末装置６の測位手段（図示せず）により取得された現在位置とに基づいて広告経路を構成する。より詳しくは、現在位置を出発地としスケジューラアプリの登録地点を目的地とし、所定の時間間隔で現在時刻を出発時刻として経路探索を行い、出発地と目的地をマッチング条件として広告経路を構成する。そして、広告経路の到着時刻がスケジューラアプリに登録された到着時刻から所定時間内になったら、図１４に示すように広告経路をプッシュ通知する。図１４では、広告経路をユーザにいきなり提示するのではなく、プッシュ通知等を介してユーザの求めに応じて広告経路を提示するようにしている。
【０１２０】
情報提示部６２２は、広告経路構成情報取得部７２２により複数の広告経路構成情報が取得された場合（即ち、出稿希望の広告経路が複数存在する場合）、全ての広告経路に関する情報を提示してもよいし、あるいは、所定の順序に従って一つまたは複数の広告経路に関する情報を提示してもよい。例えば、最上位の順序の広告経路だけを提示してもよいし、当該順序に従って所定の数の広告経路を提示してもよい。
【０１２１】
ここで、所定の順序は、例えば、広告単価および広告経路の経路品質のうち少なくともいずれか一方に基づいて決められる。経路品質に基づいて順序を決める場合、サーバ７の制御部７２は、経路品質評価部３２２を有するサーバ３から評価結果を取得してもよいし、あるいは、経路品質評価部３２２と同じ経路品質評価部（図示せず）を有してもよい。
【０１２２】
複数の広告経路を提示する場合で、一方の広告経路が通常候補経路に含まれ、もう一方の広告経路が通常候補経路に含まれていないときは、通常候補経路に含まれている広告経路は強調表示し、通常候補経路に含まれていない広告経路は別枠で表示するようにしてもよい。
【０１２３】
なお、クエリを利用して所定の条件で経路探索を行ったユーザに対して広告経路を提示するようにしてもよい。図１５（ａ）はクエリの一例を示している。このクエリは、経路検索条件を記憶した経路探索条件データベース（図１５（ｂ））を参照する。より詳しくは、クエリにより経路探索条件データベースに問い合わせ、条件（図１５（ａ）の例では到着地が成田空港）に合致した探索条件を取得し、当該探索条件を設定したユーザに対して広告経路を提示するようにする。また、クエリにより出稿情報データベースから広告経路構成情報を取得するようにしてもよい。
【０１２４】
以上説明したように、本実施形態に係る情報処理システムによれば、モバイル端末やパソコン等のユーザに広告経路を提示するができる。よって、ユーザは広告対象の交通機関を利用した場合のメリットを容易に把握することができる。また、広告主はユーザに対し効果的な訴求を行うことができる。
【０１２５】
なお、図１、図６や図８の構成は一例であり、サーバ３、サーバ７内の構成要件の少なくとも一部がそれぞれ出稿端末２、端末装置６内にあってもよい。例えば、サーバ３内の制御部３２および記憶部３３を出稿端末２内に設けて、通信をすることなく出稿端末２のみで広告経路を出稿することが可能な広告出稿装置を構成してもよい。
【０１２６】
上述した実施形態で説明した広告出稿システムおよび情報処理システムの少なくとも一部は、ハードウェアで構成してもよいし、ソフトウェアで構成してもよい。ソフトウェアで構成する場合には、広告出稿システムおよび情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１２７】
また、広告出稿システムおよび情報処理システムの少なくとも一部の機能を実現するプログラムを、インターネット等の通信回線（無線通信も含む）を介して頒布してもよい。
さらに、同プログラムを暗号化したり、変調をかけたり、圧縮した状態で、インターネット等の有線回線や無線回線を介して、あるいは記録媒体に収納して頒布してもよい。
【０１２８】
さらに、一つまたは複数の情報処理装置によって広告出稿システムまたは情報処理システムを機能させてもよい。複数の情報処理装置を用いる場合、情報処理装置のうちの１つをコンピュータとし、当該コンピュータが所定のプログラムを実行することにより広告出稿システムおよび情報処理システムの少なくとも１つの手段として機能が実現されてもよい。
【０１２９】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１３０】
１，１Ａ  広告出稿システム
２  出稿端末
２１  通信部
２２，２２Ａ  制御部
２２１  出稿情報受付部
２２２  品質評価結果提示部
２３  入力部
２４  出力部
３  サーバ
３１  通信部
３２，３２Ａ  制御部
３２１  データベース作成部
３２２  経路品質評価部
３３  記憶部
３３１  出稿情報データベース
５  情報処理システム
６  端末装置
６１  通信部
６２  制御部
６２１  探索条件取得部
６２２  情報提示部
７  サーバ
７１  通信部
７２  制御部
７２１  マッチング条件取得部
７２２  広告経路構成情報取得部
７２３  経路探索部
７３  記憶部
７３１  出稿情報データベース
７３２  経路ネットワークデータベース
８  スマートフォン
Ｂ  出力条件追加ボタン
Ｓ  スライダーバー
Ｔ  （ネット予約用の）ボタン
【図１】
2019117199.tif 000003
【図２】
2019117199.tif 000004
【図３】
2019117199.tif 000005
【図４】
2019117199.tif 000006
【図５】
2019117199.tif 000007
【図６】
2019117199.tif 000008
【図７】
2019117199.tif 000009
【図８】
2019117199.tif 000010
【図９】
2019117199.tif 000011
【図１０】
2019117199.tif 000012
【図１１】
2019117199.tif 000013
【図１２】
2019117199.tif 000014
【図１３】
2019117199.tif 000015
【図１４】
2019117199.tif 000016
【図１５】
2019117199.tif 000017
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
出稿者により出稿され、広告対象の移動手段を利用する移動経路であって、出発地および目的地を含む経路探索条件を満たす広告経路を構成する広告経路構成手段と、
前記広告経路を前記経路探索条件により探索された少なくとも１つの通常候補経路とともに提示する情報提示手段と、
を備える情報処理システム。
【請求項２】
前記情報提示手段は、前記広告経路および前記少なくとも１つの通常候補経路を一覧表示することを特徴とする請求項１に記載の情報処理システム。
【請求項３】
前記出稿者は、前記広告対象の移動手段を運行する事業者であることを特徴とする請求項１または２に記載の情報処理システム。
【請求項４】
前記情報提示手段は、
前記少なくとも１つの通常候補経路とは別枠で前記広告経路を提示することを特徴とする請求項１〜３のいずれかに記載の情報処理システム。
【請求項５】
前記情報提示手段は、
前記広告経路を強調して提示することを特徴とする請求項１〜３のいずれかに記載の情報処理システム。
【請求項６】
前記情報提示手段は、
前記広告経路が前記通常候補経路と一致する場合、前記広告経路を強調して提示することを特徴とする請求項１〜３のいずれかに記載の情報処理システム。
【請求項７】
前記情報提示手段は、
出稿希望の広告経路が複数存在する場合、所定の順序に従って一つまたは複数の広告経路に関する情報を提示することを特徴とする請求項１〜６のいずれかに記載の情報処理システム。
【請求項８】
前記所定の順序は、広告単価および／または広告経路の経路品質に基づいて決められていることを特徴とする請求項７に記載の情報処理システム。
【請求項９】
サーバと通信可能に接続された端末装置において実行される情報処理プログラムであって、
前記サーバは、
出稿者により出稿され、広告対象の移動手段を利用する移動経路であって、出発地および目的地を含む経路探索条件を満たす広告経路を構成する広告経路構成手段を有し、
前記情報処理プログラムは、コンピュータを、前記広告経路を前記経路探索条件により探索された少なくとも１つの通常候補経路とともに提示する情報提示手段として機能させるための情報処理プログラム。
【請求項１０】
通信可能に接続された複数のコンピュータによって構成される情報処理システムであって、
出稿者により出稿され、広告対象の移動手段を利用する移動経路であって、出発地および目的地を含む経路探索条件を満たす広告経路を構成する広告経路構成手段と、
前記広告経路を前記経路探索条件により探索された少なくとも１つの通常候補経路とともに提示する情報提示手段と、
を備えた情報処理システムを機能させるために、
上記コンピュータの少なくとも１つを上記手段の少なくとも１つとして機能させるための情報処理プログラム。
【請求項１１】
通信可能に接続された複数のコンピュータによって、請求項１〜８のいずれかに記載の情報処理システムを機能させるために、
上記コンピュータのうちの１つを請求項１〜８のいずれかに記載の情報処理システムにおける各手段の少なくとも１つとして機能させるための情報処理プログラム。
【請求項１２】
コンピュータを、請求項１〜８のいずれかに記載の情報処理システムにおける各手段の少なくとも１つとして機能させるための情報処理プログラム。
【請求項１３】
コンピュータを、
出稿者により出稿され、広告対象の移動手段を利用する移動経路であって、出発地および目的地を含む経路探索条件を満たす広告経路を構成する広告経路構成手段、および
前記広告経路を前記経路探索条件により探索された少なくとも１つの通常候補経路とともに提示する情報提示手段
として機能させるための情報処理プログラム。
【請求項１４】
通信可能に接続された複数の情報処理装置によって、
出稿者により出稿され、広告対象の移動手段を利用する移動経路であって、出発地および目的地を含む経路探索条件を満たす広告経路を構成する広告経路構成手段と、
前記広告経路を前記経路探索条件により探索された少なくとも１つの通常候補経路とともに提示する情報提示手段と、
を備えた情報処理システムを構成するために、
上記手段の少なくとも１つを備えたことを特徴とする情報処理装置。
【請求項１５】
広告経路構成手段が、出稿者により出稿され、広告対象の移動手段を利用する移動経路であって、出発地および目的地を含む経路探索条件を満たす広告経路を構成するステップと、
情報提示手段が、前記広告経路を前記経路探索条件により探索された少なくとも１つの通常候補経路とともに提示するステップと、
を備えることを特徴とする情報処理方法。